(57)【要約】
【課題】天井板に形成されるおよそ３００ｍｍ角のＶ溝を利用して、基礎枠体として床面と天井板との間に簡単にセットできる固定装置を提案する。
【解決手段】
開口部を下向きとし、上端に天井板９のＶ溝１０と係合する山型突起７を有するコ字形枠体Ａ２と、開口部を上向きとし、コ字形枠体Ａの開口部と摺動可能に係合されたコ字形枠体Ｂ３と、前記コ字形枠体Ａとコ字形枠体Ｂとを離反する方向へ付勢するスプリング若しくは板ばねその他の弾性体６と、前記コ字形枠体Ａ及びＢの下方に取り付けられた方形枠体１とから成り、前記コ字形枠体Ａの山型突起を天井板のＶ溝に係合させると共に方形枠体を天井板と床との間で弾発的に立設し、ビス等の固定手段８により床面に固定した間仕切り用枠体固定装置。
【選択図】    図１
0003101407.tif 000002
【実用新案登録請求の範囲】
【請求項１】
開口部を下向きとし、上端に天井板のＶ溝と係合する山型突起を有するコ字形枠体Ａと、開口部を上向きとし、コ字形枠体Ａの開口部と摺動可能に係合されたコ字形枠体Ｂと、前記コ字形枠体Ａとコ字形枠体Ｂとを離反する方向へ付勢するスプリング若しくは板ばねその他の弾性体と、前記コ字形枠体Ａ及びＢを上端に取り付けた方形枠体とから成り、
前記コ字形枠体Ａの山型突起を天井板のＶ溝に係合させると共に方形枠体を天井板と床との間で弾発的に立設し、ビス等の固定手段により床面に固定したことを特徴とする間仕切り用枠体固定装置。
【請求項２】
天井板として、３００ｍｍ角で約５ｍｍ幅のＶ溝を設け、このＶ溝が直線状に連続するよう配設した請求項1記載の間仕切り用枠体固定装置。
【請求項３】
方形枠体が鋼材のような磁性体で構成された２本の角柱と、これら角柱間に架橋されたコ字形枠体とからなる請求項1記載の間仕切り用枠体固定装置。
【考案の詳細な説明】
【技術分野】
【０００１】
本考案は、自由設計の賃貸住宅や賃貸マンションなどにおいて、床面と天井間で弾発的に設定できる枠体を提供するものであり、この枠体の表裏面に簡単に化粧板や壁面を取り付け、借り手の要望に応じて自由設計の間取りを実現させる間仕切り用枠体固定装置に関する。
【背景技術】
【０００２】
従来から室内を間仕切りする間仕切り壁に関しては種々の考案が提供されている。特に賃貸住宅、賃貸マンションなどでは、入居前の居住者による自由設計を実現させ、居住者が変わる場合における設計変更やリフォームに対処できるよう基本的な柱と柱間を連接する横桟や梁による枠体を構成し、表面又は背面に化粧板やボードを接着する構成をとっている。
【特許文献１】特開２００３−１３５２１号公報    壁の構造、壁の構築方法、弾性支持機構
【考案の開示】
【考案が解決しようとする課題】
【０００３】
本考案は天井板に形成されるおよそ３００ｍｍ角のＶ溝を利用して、間仕切り用枠体を床面と天井板との間に簡単にセットできる固定装置を提案する。Ｖ溝に沿って直線状に連続するようコ字形枠体と方形枠体とにより仕切り壁の化粧板やボードを取り付ける基礎枠体を構成した。
【０００４】
単に柱を設置するのではなく、鋼材のような磁性体で構成された２本の角柱と、これら角柱間に架橋されたコ字形枠体とからなる方形枠体を用い、これを床面と天井板との間に弾性設置できるようにし直ちに壁面パネルを接着して間仕切り壁を完成させようとするものである。
【課題を解決するための手段】
【０００５】
第１考案では、開口部を下向きとし、上壁に天井板のＶ溝と係合する山型突起を有するコ字形枠体Ａと、開口部を上向きとし、コ字形枠体Ａの開口部と摺動可能に係合されたコ字形枠体Ｂと、前記コ字形枠体Ａとコ字形枠体Ｂとを離反する方向へ付勢するスプリング若しくは板ばねその他の弾性体と、前記コ字形枠体Ａ及びＢを上端に取り付けた方形枠体とから成り、前記コ字形枠体Ａの山型突起を天井板のＶ溝に係合させると共に方形枠体を天井板と床との間で弾発的に立設し、ビス等の固定手段により床面に固定した間仕切り用枠体固定装置とした。
【０００６】
第２考案では、天井板として、３００ｍｍ角で約５ｍｍ幅のＶ溝を設け、このＶ溝が直線状に連続するよう配設した。
第３考案としては、方形枠体が鋼材のような磁性体で構成された２本の角柱と、これら角柱間に架橋されたコ字形枠体とからなる間仕切り用枠体固定装置とした。
【考案の効果】
【０００７】
開口部を下向きとし、上壁に天井板のＶ溝と係合する山型突起を有するコ字形枠体Ａと、開口部を上向きとし、コ字形枠体Ａの開口部と摺動可能に係合されたコ字形枠体Ｂと、これら２つのコ字形枠体の間にスプリング若しくは板ばねその他の弾性体を設けたので、両者が常に離反する方向へ付勢されている。この弾性力を利用して下方にパネルや石膏ボードその他の壁面となるボードを接着可能とした方形枠体を設けることにより、室内のリフォームや設計変更時に簡単に取付け取外しができるようになった。
【考案を実施するための最良の形態】
【０００８】
方形枠体は２本の柱とこの柱の上下でコ字形枠体が架橋状態に構成されている。この方形枠体の上部に２つのコ字形枠体が取り付けられ、互いに離反する方向に付勢されているので、床面と天井板との間に容易に立設ようになった。
【０００９】
方形枠体が鋼材のような磁性体で構成された２本の角柱とすることにより、マグネットを用いてボードを挟み、磁性体へ吸着させることにより壁面設置の工程が極めて敏速且つ容易に絵できるようになった。方形枠体に密接してボードを支持した後、予め方形枠体に付着させておいた加熱溶融接着剤に電磁誘導加熱手段等を用いて溶融接着し、ボードを固定することができる。
【実施例１】
【００１０】
図１において、１は方形枠体で、磁性体からなる角柱と２つの角柱間に架橋されるコ字形枠体２、３で構成されている。なお、角柱でなく、コ字形枠体と同様に枠体とすることもできる。
【００１１】
４、５は互いに開口部を摺動可能に係合しているコ字形枠体Ａ及びコ字形枠体Ｂであり、前記方形枠体１の上部に設定されている。コ字形枠体４、５の内部には弾性体６が設けられ、２つのコ字形枠体は互いに離反する方向に付勢されている。
【００１２】
７はコ字形枠体Ａ４の上端に形成された山形突起で、天井板９のＶ溝１０に係合可能に設けられている。
方形枠体１は前記コ字形枠体Ａ，Ｂにより付勢されているので、コ字形枠体を上部に設けた方形枠体１を床面と天井板との間に立設するときに弾性力により敏速且つ適切にセットできる。
【００１３】
８は床面に固定する固定手段で、ビス等を用いている。ビスに代わり床面に係合穴を設けコ字形枠体３に突起を形成しておけば、嵌合によりセットすることもできる。
【００１４】
１１は加熱溶融接着剤であり、方形枠体１に化粧板、石膏ボードその他のボードを接着により取り付ける場合に用いられる。
【００１５】
その一例を説明すると、図３において、方形枠体１の内周の一部に設けた板ばね等の弾性体１３を押し込めた状態で、方形枠体に吸着するマグネットの吸着力により前記方形枠体にボードを仮設的に固定させる工程と、前記方形枠体の表面に設けた加熱溶融接着剤１１がボード１２を介して電磁誘導加熱手段（図示していないが三洋工業株式会社製のメルトスチール工法を用いる）により溶融されてボード１２を方形枠体１に接着固定する工程とを採る。この工法の場合、前記加熱溶融接着剤がボードを介して電磁誘導加熱手段により再度溶融されて接着力を弛めるとともに前記板ばね等の弾性体によりボードの上部を方形枠体から剥離する工程が使用でき、ボードの上部をもってボード全体を方形枠体から剥離する工程により、間仕切り壁の取付け取外しが自由に行なわれるようになる。
【実施例２】
【００１６】
図４は方形枠体とコ字形枠体とを直線状に連接した状態を示す参考図であり、方形枠体１の表面には予め加熱溶融接着剤１１を塗布してある。
【実施例３】
【００１７】
図５は方形枠体の他実施例を示すもので、２つの柱間に架橋されるコ字形枠体が係合部において柱の内部に入り込んだ状態を示している。
【実施例４】
【００１８】
図７に示したのは、ボード１２の上端に設けた調節板１４とコ字  形枠体１５及びばね１６により、ボード自体を弾発的に天井板と床面間に立設した例を示す。ボードの上端に緩衝材を嵌める場合に代えてより密接にボードをセットできる。
【産業上の利用可能性】
【００１９】
本願の固定装置は、前記加熱溶融接着剤と電磁誘導加熱手段を利用すると、室内のリフォームや設計変更にきわめて便利であり、室内の設計に関連する産業発展に寄与する。
【図面の簡単な説明】
【００２０】
【図１】本考案の要部を示す断面図。
【図２】コ字形枠体と弾性体の関係を示す拡大断面図。
【図３】ボードを方形枠体に接着する状態を示す斜視図。
【図４】方形枠体を直線状に連接した  斜視図。
【図５】方形枠体の他実施例を示す斜視図。
【図６】間仕切り壁を設けた状態を示す斜視図。
【図７】ボード自体を天井板と床面間に弾発的にセットした場合を示す拡大断面図。
【符号の説明】
【００２１】
１    ：  方形枠体
２    ：  コ字形枠体
３    ：  コ字形枠体
４    ：  コ字形枠体
５    ：  コ字形枠体
６    ：  弾性体
７    ：  山形突起
８    ：  固定手段
９    ：  天井板
１０  ：  Ｖ溝
１１  ：  加熱溶融接着剤
１２  ：  ボード
１３  ：  弾性体
【図１】
0003101407.tif 000003
【図２】
0003101407.tif 000004
【図３】
0003101407.tif 000005
【図４】
0003101407.tif 000006
【図５】
0003101407.tif 000007
【図６】
0003101407.tif 000008
【図７】
0003101407.tif 000009